(57)【特許請求の範囲】
【請求項１】
載置された原稿を１枚ずつ給送する原稿給送部と、
前記原稿給送部により給送される原稿の画像を光学的に読み取る原稿読取部と、
前記原稿読取部による読取済みの排出原稿の貯留を検出する排出原稿センサーと、
前記原稿読取部による読取で得られた原稿画像を記憶する画像記憶部と、
前記画像記憶部に記憶された原稿画像のトナー像を用紙に形成する画像形成動作を行う画像形成部と、
前記画像形成部によりトナー像が形成された用紙を加熱及び加圧して該トナー像を該用紙に定着させる定着処理を施す定着部と、
前記画像記憶部に記憶された複数頁分の原稿画像のうち、最終頁から遡って予め定められた頁分までの画像形成を終えた時点で、前記排出原稿センサーの信号を参照して排出原稿が貯留されていると判断した場合には、前記画像形成部による画像形成動作を中断して、当該予め定められた頁分の原稿画像についての画像形成を前記画像形成部に行わせない制御部と、
表示部とを備え、
前記制御部は、前記画像記憶部に記憶された複数頁分の原稿画像のうち、最終頁から遡って予め定められた頁分までの画像形成を終えた時点で、前記排出原稿センサーの信号を参照して排出原稿が貯留されていると判断した場合に前記排出原稿の取り忘れを知らせる表示を前記表示部に行わせ、
更に、前記制御部は、前記予め定められた頁分の原稿画像の画像形成を中断してから予め定められた時間経過すると、排出原稿が取り除かれたと判断していない状態であっても、前記表示部の前記表示を消去するとともに、前記予め定められた頁分の原稿画像の画像形成を前記画像形成部に再開させる画像形成装置。
【請求項２】
前記制御部は、前記予め定められた頁分の原稿画像の画像形成の中断中に、前記排出原稿センサーの信号を参照して排出原稿が取り除かれたと判断した場合は、前記予め定められた頁分の原稿画像の画像形成を再開させる請求項１に記載の画像形成装置。
【請求項３】
前記用紙を搬送する搬送機構を更に備え、
前記制御部は、前記予め定められた頁分の原稿画像の画像形成を中断させる場合、前記搬送機構に、次の用紙を前記画像形成部の上流側のレジストローラーまで搬送させて当該状態で待機させる請求項１又は請求項２に記載の画像形成装置。
【請求項４】
警報灯又は警報音の少なくとも一方により警報する警報部を備え、
前記制御部は、前記予め定められた頁分の原稿画像の画像形成を中断させるときに前記警報部に警報を行わせる請求項１乃至請求項３のいずれかに記載の画像形成装置。
【請求項５】
前記制御部は、前記警報を開始してから予め定められた時間の経過後に前記警報部に前記警報を停止させる請求項４に記載の画像形成装置。
【請求項６】
前記制御部は、前記原稿読取部による原稿の読み取りが開始されると、前記表示部に、原稿の読み取り完了後に排出原稿を取り除くことを求める要請表示を行い、前記予め定められた頁分の原稿画像の画像形成前に排出原稿が貯留されていないと判断した場合は当該要請表示を消去し、排出原稿が貯留されていると判断した場合は、前記表示部の表示を、排出原稿の取り忘れを知らせる表示に切り替える請求項１乃至請求項５のいずれかに記載の画像形成装置。
【発明の詳細な説明】
【技術分野】
【０００１】
本発明は、画像形成装置に関し、特に、自動原稿送り装置から排出された原稿の取り忘れを防止する技術に関する。
【背景技術】
【０００２】
コピー機や複合機等の画像形成装置で原稿のコピーを行ったときに原稿を取り忘れてしまうことがある。このような問題に対して、下記特許文献１には、原稿の画像を読み取って画像データを記憶部に一時的に記憶させ、原稿の受取りを促す表示をするとともに、原稿が受取られたと判断した場合には画像形成部にて印刷処理を開始する一方、原稿が受取られることなく所定時間が経過した場合には原稿が放置されている旨を端末装置へ通知する技術が開示されている。
【先行技術文献】
【特許文献】
【０００３】
【特許文献１】特開２００５−１５０９８０号公報
【発明の概要】
【発明が解決しようとする課題】
【０００４】
オフィスなどではＡＤＦ（自動原稿送り装置）を用いて大量の原稿をコピーすることがある。この場合、ユーザーは大量の原稿をＡＤＦにセットしてコピーを開始し、コピーが終わると印刷物を持って画像形成装置を離れる。このとき、自動原稿送り装置から排出された原稿を取り忘れると、後から画像形成装置まで原稿を取りに戻らなければならず、ユーザーの負担が増えてしまう。
【０００５】
上記特許文献１は、原稿台に原稿を１枚だけ載置して画像を読み取る際の原稿の取り忘れに関する技術であり、自動原稿送り装置から排出された原稿の取り忘れ防止にそのまま適用できるものではない。従って、自動原稿送り装置から排出された原稿の取り忘れを防止する技術が求められる。
【０００６】
本発明は、上記の問題を解決するためになされたもので、自動原稿送り装置から排出された原稿の取り忘れを防止することを目的とする。
【課題を解決するための手段】
【０００７】
本発明の一局面に係る画像形成装置は、載置された原稿を１枚ずつ給送する原稿給送部と、
前記原稿給送部により給送される原稿の画像を光学的に読み取る原稿読取部と、
前記原稿読取部による読取済みの排出原稿の貯留を検出する排出原稿センサーと、
前記原稿読取部による読取で得られた原稿画像を記憶する画像記憶部と、
前記画像記憶部に記憶された原稿画像のトナー像を用紙に形成する画像形成動作を行う画像形成部と、
前記画像形成部によりトナー像が形成された用紙を加熱及び加圧して該トナー像を該用紙に定着させる定着処理を施す定着部と、
前記画像記憶部に記憶された複数頁分の原稿画像のうち、最終頁から遡って予め定められた頁分までの画像形成を終えた時点で、前記排出原稿センサーの信号を参照して排出原稿が貯留されていると判断した場合には、前記画像形成部による画像形成動作を中断して、当該予め定められた頁分の原稿画像についての画像形成を前記画像形成部に行わせない制御部と、
表示部とを備え、
前記制御部は、前記画像記憶部に記憶された複数頁分の原稿画像のうち、最終頁から遡って予め定められた頁分までの画像形成を終えた時点で、前記排出原稿センサーの信号を参照して排出原稿が貯留されていると判断した場合に前記排出原稿の取り忘れを知らせる表示を前記表示部に行わせ、
更に、前記制御部は、前記予め定められた頁分の原稿画像の画像形成を中断してから予め定められた時間経過すると、排出原稿が取り除かれたと判断していない状態であっても、前記表示部の前記表示を消去するとともに、前記予め定められた頁分の原稿画像の画像形成を前記画像形成部に再開させるものである。
【発明の効果】
【０００８】
本発明によれば、自動原稿送り装置から排出された複数枚の原稿の取り忘れを防止することができる。
【図面の簡単な説明】
【０００９】
【図１】本発明の一実施形態に係る画像形成装置の構造を示す正面断面図である。
【図２】画像形成装置の主要内部構成を示す機能ブロック図である。
【図３】ＡＤＦを使用したコピー動作時の処理を示すフローチャートである。
【図４】ＡＤＦを使用したコピー動作に伴って行われる印刷動作時の処理を示すフローチャートである。
【図５】排出原稿の取り忘れがある場合の警報動作を示すフローチャートである。
【発明を実施するための形態】
【００１０】
以下、本発明の一実施形態に係る画像形成装置について図面を参照して説明する。図１は、本発明の一実施形態に係る画像形成装置の構造を示す正面断面図である。本発明の一実施形態に係る画像形成装置１は、例えば、コピー機能、プリンター機能、スキャナー機能、及びファクシミリ機能のような複数の機能を兼ね備えた複合機である。画像形成装置１は、装置本体１１に、操作部４７、画像形成部１２、定着部１３、給紙部１４、原稿給送部６、及び原稿読取部５等を備えて構成されている。
【００１１】
操作部４７は、画像形成装置１が実行可能な各種動作及び処理についてユーザーから画像形成動作実行指示や原稿読取動作実行指示等の指示を受け付ける。操作部４７は表示部４７３を備えている。
【００１２】
原稿読取部５は、原稿読取部５の上面に装着されたコンタクトガラス１６１と、このコンタクトガラス１６１に載置された原稿を押さえる開閉自在の原稿押さえカバー１６２と、コンタクトガラス１６１に載置された原稿の画像を読み取る読取機構１６３とを備えている。読取機構１６３は、ＣＣＤ（Charge Coupled Device）等を用いて原稿の画像を光学的に読み取る。
【００１３】
原稿給送部６は、原稿が載置される原稿載置台６１と、画像読取済みの原稿が排出される原稿排出部６６と、原稿搬送機構６５と、を備えるＡＤＦである。原稿搬送機構６５は、図略の給紙ローラー、搬送ローラー、及び用紙反転機構を備えている。原稿搬送機構６５は、給紙ローラー及び搬送ローラーの駆動により、原稿載置台６１に載置された複数枚の原稿を１枚ずつ繰り出して原稿読取スリット５３に対向する位置へ搬送し、原稿読取スリット５３を介して読取機構１６３による読取を可能とした後、原稿排出部６６へと排出する。
【００１４】
原稿読取部５による読取済みの排出原稿の貯留を検出する排出原稿センサー６７が原稿排出部６６の適当な箇所に設けられている。排出原稿センサー６７として、原稿排出部６６の上面において排出原稿の表面と接触可能にされた図略のレバーを備え、当該レバーが押し下げられることで排出原稿を検出する機械式センサーを用いることができる。あるいは、排出原稿センサー６７として、原稿排出部６６の上面において排出原稿の表面に光を照射する図略の投光器とそれに近接配置された図略の受光器とを備え、受光器が受光することで排出原稿を検出する光学式センサーを用いることができる。
【００１５】
更に原稿給送部６は、その前面側が上方に移動可能となるように装置本体１１に対して回動自在に設けられている。原稿給送部６の前面側を上方に移動させて原稿台としてのコンタクトガラス１６１上面を開放することにより、コンタクトガラス１６１の上面に読み取り原稿、例えば見開き状態にされた書籍等をユーザーが載置できる。
【００１６】
画像形成装置１が原稿読取動作を行う場合、原稿給送部６により給送されてくる原稿、又はコンタクトガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１７】
画像形成装置１が画像形成動作を行う場合は、上記原稿読取動作により生成された画像データ、又はネットワーク接続されたコンピューターから受信した画像データ、又は内蔵ＨＤＤに記憶されている画像データ等に基づいて、画像形成部１２が、給紙部１４から給紙される用紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００１８】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成された当該カラーのトナー像を、中間転写ベルト１２５を挟んで駆動ローラー１２５ａとのニップ部Ｎにおいて、給紙部１４から搬送路１９０を搬送されてきた用紙Ｐに転写させる。この後、定着部１３が、用紙Ｐ上のトナー像を、熱圧着により用紙Ｐに定着させる。定着処理の完了したカラー画像形成済みの用紙Ｐは、排出トレイ１５１に排出される。
【００１９】
給紙部１４は、複数の給紙カセットを備える。制御部１００（図２）は、ユーザーによる指示で指定されたサイズの用紙が収容された給紙カセットのピックアップローラー１４５を回転駆動させて、各給紙カセットに収容されている用紙Ｐを上記ニップ部Ｎに向けて搬送させる。具体的には、給紙部１４は、用紙Ｐをニップ部Ｎのすぐ上流側のレジストローラー１９３で待機させる。そして、給紙部１４は、画像形成部１２によるトナー像の形成とタイミングを合わせて用紙Ｐをニップ部Ｎに送り込む。
【００２０】
なお、画像形成装置１において、両面印刷を行う場合は、画像形成部１２より一方の面に画像が形成された用紙Ｐを、排出ローラー対１５９にニップされた状態とした後、当該用紙Ｐを排出ローラー対１５９によりスイッチバックさせて反転搬送路１９５に送り、搬送ローラー対１９により、上記ニップ部Ｎ及び定着部１３に対して用紙Ｐの搬送方向上流域に再度搬送する。これにより、画像形成部１２により当該用紙の他方の面に画像が形成される。
【００２１】
図２は、画像形成装置１の主要内部構成を示す機能ブロック図である。画像形成装置１は、制御ユニット１０、操作部４７、原稿給送部６、排出原稿センサー６７、原稿読取部５、画像メモリー３２、画像形成部１２、定着部１３、駆動モーター７０、ファクシミリ通信部７１、ネットワークインターフェイス部９１、及びＨＤＤ９２等を備える。
【００２２】
原稿読取部５は、制御部１００による制御の下、光照射部及びＣＣＤセンサー等を有する読取機構１６３（図１）を備える。原稿読取部５は、光照射部により原稿を照射し、その反射光をＣＣＤセンサーで受光することにより、原稿から画像を読み取る。
【００２３】
原稿給送部６は、原稿読取部５による原稿の読取動作に合わせて、原稿載置台６１（図１）に載置された原稿を１枚ずつ繰り出して原稿読取部５の原稿読取スリット５３（図１）に対抗する位置へ搬送する。読取済みの原稿は原稿排出部６６（図１）へ排出される。
【００２４】
排出原稿センサー６７は、原稿排出部６６に排出された排出原稿の貯留を検出する。
【００２５】
画像メモリー３２は、原稿読取部５による読取で得られた原稿画像を一時的に記憶したり、画像形成部１２のプリント対象となるデータを一時的に保存する領域である。
【００２６】
ＨＤＤ９２は、原稿読取部５により読み取られた原稿画像等を記憶する大容量の記憶装置である。
【００２７】
画像メモリー３２及びＨＤＤ９２は特許請求の範囲における画像記憶部の一例である。大量の原稿をコピーする場合、１枚目の原稿の画像が読み取られてからそのトナー像が形成されて用紙Ｐに転写され、更に定着処理が施されるまでに若干の時間を要し、その間に２枚目以降の原稿が次々と読み取られる。画像メモリー３２及びＨＤＤ９２は、そのような原稿の読取と読み取った原稿画像の印刷のタイムラグを吸収するバッファとして機能する。
【００２８】
操作部４７は、テンキーやスタートキーやクリアキー等の各種操作ボタン４７１と、エラーやアテンション等の各種インジケーター４７２と、ユーザーへの操作案内等を表示するタッチパネル式の表示部４７３と、警報音を発するブザー４７４とを備える。なお、インジケーター４７２及びブザー４７４は特許請求の範囲における警報部の一例である。
【００２９】
ファクシミリ通信部７１は、図略の符号化／復号化部、変復調部及びＮＣＵ（Network Control Unit）を備え、公衆電話回線網を用いてのファクシミリの送信を行うものである。
【００３０】
ネットワークインターフェイス部９１は、ＬＡＮボード等の通信モジュールから構成され、当該ネットワークインターフェイス部９１に接続されたＬＡＮ等を介して、ローカルエリア内のコンピューター２００と種々のデータの送受信を行う。
【００３１】
駆動モーター７０は、画像形成部１２の各回転部材及び搬送ローラー対１９等に回転駆動力を付与する駆動源である。
【００３２】
制御ユニット１０は、ＣＰＵ(Central Processing Unit)、ＲＡＭ、ＲＯＭ及び専用のハードウェア回路等から構成される。制御ユニット１０は、制御部１００を備える。
【００３３】
制御部１００は、画像形成装置１の全体的な動作制御を司る。制御部１００は、操作部４７、原稿給送部６、排出原稿センサー６７、原稿読取部５、画像メモリー３２、画像形成部１２、定着部１３、駆動モーター７０、ファクシミリ通信部７１、ネットワークインターフェイス部９１、及びＨＤＤ９２等と接続され、これら各部の制御を行う。
【００３４】
例えば、制御部１００は、画像メモリー３２に記憶された全頁分の原稿画像のうち、最終頁から遡って予め定められた頁分までの画像形成を終えた時点で、排出原稿センサー６７の信号を参照して排出原稿が貯留されていると判断した場合には、画像形成部１２による画像形成動作を中断して、当該予め定められた頁分の原稿画像についての画像形成を画像形成部１２に行わせない制御を行う。
【００３５】
次に、本実施形態に係る画像形成装置１で原稿給送部６を使用して原稿のコピーを行った場合において、原稿排出部６６に排出された原稿の取り忘れを防止するための解決手段について説明する。
【００３６】
まず、ＡＤＦ（原稿給送部６）を使用したコピー動作について説明する。図３は、ＡＤＦを使用したコピー動作時の処理を示すフローチャートである。
【００３７】
ユーザーはコピー対象の複数枚の原稿を原稿載置台６１に載置し、操作部４７に配置された図略のコピースタートボタンを押下する。制御部１００は、コピースタートボタンの押下を検出すると（Ｓ１でＹＥＳ）、原稿給送部６に対して原稿の給送開始を指示し、原稿給送部６は当該指示を受けて原稿の給送を開始する（Ｓ２）。
【００３８】
原稿給送部６から原稿が１枚ずつ給送される。原稿読取部５は、給送された原稿の画像を読み取り（Ｓ３）、原稿画像を画像メモリー３２及び／又はＨＤＤ９２に保存する（Ｓ４）。
【００３９】
最初の頁の原稿画像が画像メモリー３２及び／又はＨＤＤ９２に保存された時点で、制御部１００は給紙部１４、画像形成部１２、及び定着部１３を制御して、原稿の最初の頁から原稿画像の印刷を開始する（Ｓ５）。このように、制御部１００は、原稿の全頁の読取完了を待たずに、読取済みの原稿画像の印刷処理を開始することができる。すなわち、原稿の読取動作と原稿画像の印刷動作とは同時並行的に進行することができる。
【００４０】
原稿給送部６は、原稿載置台６１に次頁の原稿の有無を検出し、次頁の原稿がある場合には（Ｓ６でＹＥＳ）、次頁の原稿を給送する（Ｓ２）。一方、次頁の原稿がない場合には（Ｓ６でＮＯ）、原稿給送部６を使用した原稿の読取が終了する。
【００４１】
次に、ＡＤＦを使用したコピー動作に伴って行われる印刷動作について説明する。図４は、ＡＤＦを使用したコピー動作に伴って行われる印刷動作時の処理を示すフローチャートである。
【００４２】
上記コピー動作に伴う印刷動作の開始時には、制御部１００は、表示部４７３に、原稿を取り除くよう促す旨の案内を表示させる（Ｓ１１）。これにより、当該表示を見たユーザーに、排出原稿の取り忘れを注意させる。まずこれがユーザーに排出原稿の取り忘れを防止するための第１の対策である。
【００４３】
制御部１００は、画像メモリー３２及び／又はＨＤＤ９２から原稿画像を読み出す（Ｓ１２）。画像形成部１２は読み出された原稿画像のトナー像を形成して用紙Ｐに転写し、定着部１３はトナー像が転写された用紙Ｐの定着処理を行う（Ｓ１３）。
【００４４】
制御部１００は、印刷を終えた原稿画像が、最終頁の１頁前の原稿画像であるか否かを確認する。当該「最終頁」、すなわち、「最終頁としての１頁分」は、上述した「最終頁から遡って予め定められた頁分」の一例である。
【００４５】
制御部１００は、印刷を終えた原稿画像が、もし最終頁の１頁前の原稿画像でなければ（Ｓ１４でＮＯ）、次の頁の原稿画像を読み出して印刷処理を続ける。一方、制御部１００は、印刷を終えた原稿画像が最終頁の１頁前の原稿画像である場合には（Ｓ１４でＹＥＳ）、排出原稿センサー６７の信号を参照する（Ｓ１５）。
【００４６】
大量の原稿をコピーする場合、コピー完了までに多くの時間を要する。このため、ユーザーはＡＤＦに原稿をセットしてコピースタートボタンを押下すると画像形成装置１から一旦離れ、その後、原稿の読取が終わるぐらいのタイミングで画像形成装置１に戻ってくることが想定される。ユーザーが画像形成装置１に戻ってきた時点又はそれから暫く経った時点で原稿の読取動作が完了し、原稿画像の印刷動作は継続中であることが想定される。もしそのような時点でユーザーが原稿排出部６６に排出されている原稿を取り除けば、最終頁の１頁前の原稿画像の印刷処理が終わった時点で排出原稿センサー６７により排出原稿の貯留は検出されない（Ｓ１６でＮＯ）。この場合、制御部１００は、表示部４７３の表示を消去し（Ｓ１７）、画像メモリー３２及び／又はＨＤＤ９２から最終頁の原稿画像を読み出す（Ｓ１８）。画像形成部１２は読み出された最終頁の原稿画像のトナー像を形成して用紙Ｐに転写し、定着部１３はトナー像が転写された用紙Ｐの定着処理を行う（Ｓ１９）。これでＡＤＦを使用して読み取られる原稿画像の印刷動作は終了する。
【００４７】
一方、ユーザーが画像形成装置１に戻って来ても排出原稿を取り除いていない場合は、最終頁の１頁前の原稿画像の印刷処理が終わった時点で排出原稿センサー６７により排出原稿の貯留が検出される（Ｓ１６でＹＥＳ）。この場合、制御部１００は、最終頁の原稿画像の画像形成を中断させて、以下に説明する警報を行う。
【００４８】
次に、排出原稿の取り忘れがある場合の警報動作について説明する。図５は、排出原稿の取り忘れがある場合の警報動作を示すフローチャートである。
【００４９】
ユーザーが排出原稿を取り除いておらず、最終頁の１頁前の原稿画像の印刷処理が終わった時点で排出原稿センサー６７により排出原稿の貯留が検出されている場合（Ｓ１６でＹＥＳ）、制御部１００は、表示部４７３の表示を、原稿を取り忘れている旨の案内に切り替える（Ｓ２１）。更に、制御部１００は、操作部４７におけるインジケーター４７２を点灯又は点滅させ、及び／又は、ブザー４７４から警報音を発する（Ｓ２２）。これにより、当該表示を見たユーザーが排出原稿の取り忘れに気付くことが期待される。これがユーザーに排出原稿の取り忘れを防止するための第２の対策である。
【００５０】
ただし、いつまでも警報音が鳴り響かないようにするために、制御部１００は、警報を開始してから予め定められた時間（例えば、１分）経過後に（Ｓ２３でＹＥＳ）、ブザー４７４からの警報音を停止させる（Ｓ２４）。なお、インジケーター４７２は点灯又は点滅を続けてもよい。
【００５１】
警報を停止すると、制御部１００は、再び排出原稿センサー６７の信号を参照する（Ｓ２５）。もし、ユーザーが警報に気付いて排出原稿を取り除いていれば、この時点で排出原稿センサー６７により排出原稿の貯留は検出されない（Ｓ２６でＮＯ）。この場合、制御部１００は、最終頁の原稿画像の画像形成を再開させる。すなわち、制御部１００は、表示部４７３の表示を消去し（Ｓ１７）、画像メモリー３２及び／又はＨＤＤ９２から最終頁の原稿画像を読み出す（Ｓ１８）。画像形成部１２は読み出された最終頁の原稿画像のトナー像を形成して用紙Ｐに転写し、定着部１３はトナー像が転写された用紙Ｐの定着処理を行う（Ｓ１９）。これでＡＤＦを使用して読み取られる原稿画像の印刷動作は終了する。
【００５２】
一方、ユーザーが排出原稿を取り忘れている場合には、警報が停止した時点で排出原稿センサー６７により排出原稿の貯留が検出されることになる（Ｓ２６でＹＥＳ）。この場合、制御部１００は、引き続き最終頁の原稿画像の画像形成を中断させる。
【００５３】
ただし、いつまでも最終頁の原稿画像の画像形成を中断させていると他の印刷ジョブの実行に支障を来すおそれがある。そこで、制御部１００は、予め定められた時間（例えば、5分）の間は引き続き排出原稿センサー６７の信号を参照して排出原稿の貯留の有無を監視し続け（Ｓ２７でＮＯ）、当該予め定められた時間経過後に（Ｓ２７でＹＥＳ）、表示部４７３の表示を消去する（Ｓ１７）。そして、制御部１００は、画像形成部１２に最終頁の原稿画像の画像形成を再開させる（Ｓ１８，Ｓ１９）。すなわち、ユーザーが排出原稿を取り忘れていても強制的に最終頁の原稿画像の画像形成が再開される。これにより、ＡＤＦを使用して読み取られる原稿画像の印刷動作が終了し、他の印刷ジョブの実行が可能となる。
【００５４】
なお、制御部１００は、最終頁の原稿画像の画像形成を中断させる場合、搬送ローラー対１９及び搬送路１９０を備える搬送機構により、次の用紙Ｐを画像形成部１２の上流側のレジストローラー１９３まで搬送させ、この状態で待機させることが好ましい。これにより、最終頁の原稿画像の画像形成を中断中に排出原稿が取り除かれると、取り除かれた時点から短時間で直ちに最終頁の原稿画像の印刷を行うことができる。
【００５５】
以上のように、本実施形態によると、ユーザーに対して排出原稿を取り除く要請が２段階で行われ、特に２回目は警報が発せられてそれでも排出原稿が取り除かなければ最終頁の原稿画像が印刷されない。これにより、ユーザーに原稿の取り忘れを気付かせて、ＡＤＦから排出された原稿の取り忘れを防止することができる。すなわち、本実施形態に係る画像形成装置１によれば、自動原稿送り装置から排出された原稿の取り忘れを防止することができる。
【００５６】
なお、本発明は上記実施の形態の構成に限られず種々の変形が可能である。上記実施の形態では、制御部１００が排出原稿センサー６７の信号を参照するタイミングを最終頁の１頁前としたが、本発明はこれに限られず、排出原稿センサー６７の信号を参照するタイミングを、最終頁の数頁前の原稿画像の印刷処理が終わったときとすることも可能である。すなわち、最終頁から遡って予め定められた頁分の頁数は適宜変更が可能である。
【００５７】
また、上記実施形態では、本発明に係る画像形成装置の一実施形態として複合機を用いて説明しているが、これは一例に過ぎず、例えば、コピー機等の他の画像形成装置でもよい。
【００５８】
また、図１乃至図５を用いて上記実施形態により示した構成及び処理は本発明の一実施形態に過ぎず、本発明を当該構成及び処理に限定する趣旨ではない。
【符号の説明】
【００５９】
１        画像形成装置
５        原稿読取部
６        原稿給送部
１２      画像形成部
１３      定着部
３２      画像メモリー（画像記憶部）
６７      排出原稿センサー
９２      ＨＤＤ（画像記憶部）
１００    制御部
４７２    インジケーター（警報部）
４７３    表示部
４７４    ブザー（警報部）
【図１】
0006387936.tif 000002
【図２】
0006387936.tif 000003
【図３】
0006387936.tif 000004
【図４】
0006387936.tif 000005
【図５】
0006387936.tif 000006